(57)【要約】  【課題】  組立ての工程を短縮し、製造コストを節減するメモリカードのアダプタを提供する。【解決手段】  プラスチック材を射出して、一端が延伸して接触端となる端子を植設してなる基板と、プラスチック材を射出して一体成型してなり、メモリカードを挿入するための中空のスロットを具え、且つ一端が水平方向に延伸して該基板の位置決めに供する接合部となるベースとによって構成する。【選択図】  図１
0003111771.tif 000002
【実用新案登録請求の範囲】
【請求項１】
T-FLASH、S-FLASH、ミニSD、MMcironなどをSDカード用のサイズに転換するメモリカードのアダプタであって、
プラスチック材を射出して、一端が延伸して接触端となる端子を植設してなる基板と、
プラスチック材を射出して一体成型してなり、メモリカードを挿入するための中空のスロットを具え、且つ一端が水平方向に延伸して該基板の位置決めに供する接合部となるベースとを含むことを特徴とするメモリカードのアダプタ。
【請求項２】
前記ベースの上面か、もしくは底面を刳りぬき、少なくとも一以上の図形、或いは文字を形成することを特徴とする請求項１に記載のメモリカードのアダプタ。
【請求項３】
前記基板は内部の端子がプラスチックを射出して基板に植設されることを特徴とする請求項１に記載のメモリカードのアダプタ。
【考案の詳細な説明】
【技術分野】
【０００１】
この考案は、メモリカードに関し、特にメモリカードのアダプタに関する。
【背景技術】
【０００２】
メモリカードは各種電子デジタル製品の保存媒体として使用され、データ保存の使用に供されている。但し、例えばスマートメディア、SDメモリカード、ＭＭＣ、メモリスティック、コンパクトフラッシュ、ｘDピクチャカードなどと、目下市場で見られるメモリカードの種類は極めて多く、そのサイズもそれぞれ異なる。しかも、これらメモリカードは、それぞれ対応するコネクタにしか適用できない場合が多く、互換性が低い。このため、メモリカードを購入しても規格が合わず、使用できない場合がある。
【０００３】
科学技術の進歩に伴い、また、人々の需要に合わせるためメモリカードの規格サイズは次第に小さくなってきている。例えばミニSDカードのサイズは、SDメモリカードの二分の一に満たない。但し、メモリカードは挿入するコネクタのサイズに制限があるが、特にSDメモリカードのサイズの規格において、アダプタを改装し、ミニSDカード（MMシロン、T-flash、S-flash）を挿入できるようにすることができる。即ち、SDメモリカードのコネクタに適用させることができる。
【０００４】
メモリカードのアダプタは、上下カバーを組み合わせて、メモリカードを挿入する差込口を形成し、内部には電気回路に接続する端子を内接する。更に、上カバー、或いは下カバーにシールを貼着する。係る構造は基本的なメモリカードのアダプト機能を達成することができるが、但し、その組立ては超音波を利用して溶着させるか、型押しするか、接着剤で接着させる。よって、これらの組立て方法はシールを貼着するステップも含み、製造工程の時間が長くなり、手間とコストがかかる。更に、係る接着方法は確実な固定が得られず、はずれやすいという欠点を有する。
【考案の開示】
【考案が解決しようとする課題】
【０００５】
この考案は、組立ての工程を少なくするとともに、製造コストを節減できるメモリカードのアダプタを提供することを課題とする。
【０００６】
また、この考案は上下カバーの好ましい接着が得られ、容易に外れないメモリカードのアダプタを提供することを課題とする。
【課題を解決するための手段】
【０００７】
そこで、本考案者は従来の技術に見られる欠点に鑑みて鋭意研究を重ねた結果、プラスチック材を射出して、一端が延伸して接触端となる端子を植設してなる基板と、プラスチック材を射出して一体成型してなり、メモリカードを挿入するための中空のスロットを具え、且つ一端が水平方向に延伸して該基板の位置決めに供する接合部となるベースとを含むメモリカードのアダプタによって本考案の課題を解決できる点に着眼し、かかる知見に基づいて本考案を完成させた。
【０００８】
以下、この考案について具体的に説明する。
請求項１に記載するメモリカードのアダプタは、T-FLASH、S-FLASH、ミニSD、MMcironなどをSDカード用のサイズに転換するメモリカードのアダプタであって、
プラスチック材を射出して、一端が延伸して接触端となる端子を植設してなる基板と、
プラスチック材を射出して一体成型してなり、メモリカードを挿入するための中空のスロットを具え、且つ一端が水平方向に延伸して該基板の位置決めに供する接合部となるベースとを含む。
【０００９】
請求項２に記載するメモリカードのアダプタは、請求項１におけるベースの上面か、もしくは底面を刳りぬき、少なくとも一以上の図形、或いは文字を形成する。
【００１０】
請求項３に記載するメモリカードのアダプタは、請求項１における基板内部の端子がプラスチックを射出して基板に植設される。
【考案の効果】
【００１１】
この考案によるメモリカードのアダプタは、従来の技術に見られるように上下カバーが外れることなく、製品の使用寿命を長くすることができるとともに、製造工程を短縮し、製造コストを低減させるといった利点を有する。
【考案を実施するための最良の形態】
【００１２】
この考案は、メモリカードのアダプタを提供するものであって、プラスチック材を射出して、一端が延伸して接触端となる端子を植設してなる基板と、及びプラスチック材を射出して一体成型してなり、メモリカードを挿入するための中空のスロットを具え、且つ一端が水平方向に延伸して該基板の位置決めに供する接合部となるベースとを含み構成し、製造工程を短縮して製造コストを節減するという目的を達成した。
かかる構成のメモリカードのアダプタと特徴を詳述するために、具体的な実施例を挙げ、図示を参照にして以下に詳述する。
【実施例】
【００１３】
図１にこの考案の第１の実施例を開示する。図示によると、基板１と、ベース２などを組み合わせて構成する。図３に開示するように、基板１は内部に複数の電気を伝導する通信用の端子１１を設け、図２に開示するように、端子１１は一端が外側に延伸して接触端子１１１を形成する。端子１１は基板１と組み合わさり、端子１１は連続して押し型成型を行った後、プラスチック材を直接射出して形成するため、端子１１は射出成型された基板１に植設される。よって、組み合わせの製造工程が簡易化され、製造コストを減少させるとともに、抜け落ちることを防ぐ。また、ベース２は、プラスチックを射出して一体に成型され、メモリカードAを挿入するために使用する中空の挿入口２２を形成し、一端は水平方向に延伸して設けられ、上述の基板１の接続部２１を位置決めするために供する。ベース２のスロット２２は上下の平行な両面に少なくとも一以上のくりぬいた図形を形成する。該図形は金型上に刻んで形成され、プラスチックを射出した後のベースに直接図形を形成し、従来の製品のようにベースの外側に図案のシールを貼る必要がなくなるとともに、製造コストを削減し、製造工程を少なくする。
【００１４】
組み合わせる場合、図４に開示するように、予め端子１１が植設された基板１をベース２の接合部２１上に位置決めし、基板１上の接触端子１１１をベース２のスロット２２の内部に挿入する。上述のように組み合わせた製品をプラスチックを射出してベース２と基板１の空間を密着させて完成する。
【００１５】
前述のように、この考案のメモリカード接続装置は、組み合わせが確実で便利な効果を有する。また、組み合わせ工程が簡単で、製造コストを削減する。
【００１６】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【図面の簡単な説明】
【００１７】
【図１】この考案のメモリカードのアダプタの立体構造を表す説明図である。
【図２】図１に開示したメモリカードのアダプタの端子を表す説明図である。
【図３】図１に開示したメモリカードのアダプタのベース内に埋め込まれた端子を表す説明図である。
【図４】図１に開示したメモリカードのアダプタを表す説明図である。
【図５】図１に開示したメモリカードのアダプタを使用方法の説明図である。
【符号の説明】
【００１８】
１          基板
２          ベース
１１        端子
２１        接合部
２２        挿入口
２３        図形
１１１      接触端子
A          メモリカード
【図１】
0003111771.tif 000003
【図２】
0003111771.tif 000004
【図３】
0003111771.tif 000005
【図４】
0003111771.tif 000006
【図５】
0003111771.tif 000007
【手続補正書】
【提出日】平成17年3月31日(2005.3.31)
【手続補正１】
【補正対象書類名】明細書
【補正対象項目名】０００２
【補正方法】変更
【補正の内容】
【０００２】
メモリカードは各種電子デジタル製品の保存媒体として使用され、データ保存の使用に供されている。但し、例えばスマートメディア、SDメモリカード、ＭＭＣ、メモリスティック、コンパクトフラッシュ（登録商標）、ｘDピクチャカードなどと、目下市場で見られるメモリカードの種類は極めて多く、そのサイズもそれぞれ異なる。しかも、これらメモリカードは、それぞれ対応するコネクタにしか適用できない場合が多く、互換性が低い。このため、メモリカードを購入しても規格が合わず、使用できない場合がある。